(57)【特許請求の範囲】
【請求項１】
筒状に形成された外筒部材と、外筒部材に充填される木製の芯部材とからなり、芯部材に外筒部材の筒芯方向に貫通する貫通孔が形成され、芯部材の上面に下向きに陥入したスリットが形成されており、前記スリットが、縦横それぞれに複数ずつ形成され、この縦横の複数のスリットが格子状をなすように交差する木製コンロ。
【請求項２】
外筒部材が少なくとも丸太の心材を含む部分を抜き出して残った丸太の周縁部分からなり、芯部材が前記丸太から抜き出された心材を含む部分からなる請求項１に記載の木製コンロ。
【請求項３】
丸太の少なくとも心材を含む中心部分を抜き出して筒状の外筒部材を得、抜き出された心材を含む部分よりなる芯部材に外筒部材の筒芯方向に貫通する貫通孔を穿設するとともに芯部材の前記筒芯方向上面に下向きに陥入したスリットを形成し、前記芯部材を外筒部材の筒内に充填することを特徴とする木製コンロの製造方法。
【発明の詳細な説明】
【技術分野】
【０００１】
本発明は、木材を使用した木製コンロに関するものである。
【背景技術】
【０００２】
近年、森林保護の問題が発生し、通常、山に棄てられている間伐材や材木をカットした残りの原木の未利用部分、倒木等の有効活用が叫ばれている。一方、地震などの災害時、電気やガスを使用できない状況では食料や冬季の熱源の確保が問題となる。更に、従来、キャンプなどのレジャー用に、電気やガスを使用しなくてもマッチなどにより簡単に着火できる簡易燃料として木炭等を金属製包装袋で包んだものが考えられている（下記特許文献１参照）。この簡易燃料は金属製包装袋の中に木炭等を詰め包装袋上部に鍋などを載せて調理できるというものである。
【０００３】
【特許文献１】実開平６２−９７１５０号公報
【発明の開示】
【発明が解決しようとする課題】
【０００４】
上記のような問題に関し、従来は間伐材や原木の未利用部分、倒木等の有効活用を図るため、これらの木材を地震などの災害時、電気やガスの使用できない状況下での食材の調理や冬季の熱源確保のための備蓄用品に利用したものはなかった。また、上記文献開示の簡易燃料についても間伐材や原木の未利用部分、倒木材等の有効活用がなされたものではなかった。更に、間伐材等の有効活用を試みる場合であっても丸太等をチェーンソー等で加工するには高度な技倆が必要であり、このような技倆を習得した者でない者が丸太等を加工処理することは容易ではなく、丸太等を加工処理した商品を考案しても量産できず、単価が高騰していた。
【０００５】
本発明は、上記した従来の問題点に鑑みてなされたものであって、間伐材等を原料に使用し、地震等の災害発生時に利用でき、かつ、製造容易な木製コンロの提供を目的とする。
【課題を解決するための手段】
【０００６】
上記目的を達成するために、本発明に係る木製コンロは、筒状に形成された外筒部材と、外筒部材に充填される木製の芯部材とからなり、芯部材に外筒部材の筒芯方向に貫通する貫通孔が形成され、芯部材の上面に下向きに陥入したスリットが形成されており、前記スリットが、縦横それぞれに複数ずつ形成され、この縦横の複数のスリットが格子状をなすように交差する構成にしてある。
【０００７】
また、前記構成において、外筒部材が少なくとも丸太の心材を含む部分を抜き出して残った丸太の周縁部分からなり、芯部材が前記丸太から抜き出された心材を含む部分からなるものである。
【０００８】
そして、本発明に係る木製コンロの製造方法は、丸太の少なくとも心材を含む中心部分を抜き出して筒状の外筒部材を得、抜き出された心材を含む部分よりなる芯部材に外筒部材の筒芯方向に貫通する貫通孔を穿設するとともに芯部材の前記筒芯方向上面に下向きに陥入したスリットを形成し、前記芯部材を外筒部材の筒内に充填することを特徴とするものである。
【発明の効果】
【０００９】
本発明は上記したように構成されているので、芯部材は空気を下部から上部に通す貫通孔と、着火後の燃焼を容易にする通気用凹部が形成されており非常に燃えやすい。よって、木製コンロは、芯部材に容易に着火でき、効率よく最後まできれいに燃焼させることができ、また、丸太に簡単な処理を施しただけで製造できるので一定基準を満たす品質の物を大量生産できる。また、芯部材に着火した後ゆっくり燃焼させ芯部材がほぼ燃え尽きるまで外筒部材の上部に鍋等を載せて湯を沸かしたり、食材の調理をしたりできる。従って、本発明にかかる木製コンロは災害発生時等ガス、電気等を使用できない状況でも食材の調理や冬季の熱源確保が可能であり、災害発生時用に備蓄しておいたり、キャンプ用に使用することができる。
【００１０】
また、外筒部材及び芯部材を少なくとも一本の丸太から製造する場合は、山等に棄てられていた間伐材や原木から材木として利用される部分を切り取った残りの未利用部分、倒木等を有効利用することができる。
また、丸太の心材を抜き取って加工するので、備蓄のため長期間保存した場合に丸太が乾燥して丸太の外周面に罅割れが生じるといったことが起こりにくい。
【００１１】
そして、本発明製法によれば、ホールソーなどを用いて芯部材が丸太から抜き出され、抜き出された芯部材は電動ノコギリやドリル等を用いて通気用凹部や上下の貫通孔が形成される。従って、取り扱いが非常に難しいチェーンソー等を使用しなくても、手軽なホールソーや電動ノコギリ、ドリル等で容易かつ迅速に製造することができる。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る木製コンロの斜視図、図２は本発明の一実施形態に係る木製コンロの構成図である。図３は本発明の一実施形態に係る芯部材の平面図、図４は本発明の一実施形態に係る芯部材の底面図、図５は本発明の一実施形態に係る木製コンロの部分段面図である。
各図において、この実施形態に係る木製コンロ１は、例えば杉の丸太４を使用して製作され、使用する杉の丸太４は、外径が２５ｃｍ以上６０ｃｍ以下、好ましくは３０ｃｍ以上５０ｃｍ以下であり、高さが２０ｃｍ以上６０ｃｍ以下、好ましくは３０ｃｍ以上５０ｃｍ以下のものが望ましい。丸太４の心材１７とは、通常「赤身」と呼ばれる丸太４中心の色の濃い部分であり、心材１７の外側が辺材１９である。辺材１９とは、通常「白太」と呼ばれる丸太４の白っぽい周縁部分１８である。丸太４の外周からの径方向の距離が２ｃｍ以上１０ｃｍ以下、好ましくは４ｃｍ以上６ｃｍ以下の位置を、丸太４の上部９から下部１０までホールソーで刳り貫いて貫通させる。刳り抜かれた芯部材３を丸太４から抜き出すことで、残った筒状の丸太４の周縁部分１８を主とする外筒部材２を得る。この外筒部材２には、丸太４の中心部分である心材１７の一部分が含まれることもある。
【００１３】
抜き出された芯部材３の上部９に格子状の通気溝７（本発明の通気用凹部の一例）を形成するため、電動ノコギリを用い、外筒部材２の筒芯Ｃ方向に沿って図３に示すような格子状に複数のスリット５ａ，５ａ，５ａ，・・・を形成する。ここで、格子状の縦横のスリット５ａ，５ａ，５ａ，・・・は芯部材３の木口面の周縁部分１８より中心部分に向かって各スリット５ａ，５ａ，５ａ，・・・の配置間隔が狭くなるように形成されている。また、縦横のスリット５ａ，５ａ，５ａ・・・の深さは芯部材３の全高の約２／３程度とするが、木口の周縁部分１８より中心部分に向かって深くなるように形成されている。前述したようにスリット５ａの配置間隔や深さを微妙に変化させたことにより、芯部材３の中心部分から着火させ、中心部から外側へと効率よく長時間に亘り燃焼させることができる。
【００１４】
次に、図５に示すように、芯部材３の上面からのスリット５ａを筒芯Ｃ方向に貫通させて空気を通すための貫通孔１１を穿設する。上部９スリット５ａと同様に、電動ノコギリを用い、芯部材３の底面から筒芯Ｃ方向に４本のスリット５ｂ，５ｂ，５ｂ，５ｂを上向きに形成する。スリット５ｂ，５ｂ，５ｂ，５ｂの上向き深さは芯部材３の全高の２／５以上１／２以下程度とするが、これは、上部９からのスリット５ａと下部からのスリット５ｂを交差させて、芯部材３の下部１０から上部９へと空気を通す貫通孔１１を形成するためである。また、図４に示すように、下部１０のスリット５ｂ，５ｂ，５ｂ，５ｂは上部９の格子状スリット５ａ，５ａ，５ａ，５ａ，・・・と例えば平面視４５度程度傾斜して交わるように形成される。このような傾斜角度を設けなかった場合には上部９スリット５ａと下部１０スリット５ｂが連通したときに筒芯Ｃ方向に芯部材３が分断されてしまう可能性があるので、これを防ぐためである。
【００１５】
通気溝７及び貫通孔１１を施した芯部材３を外筒部材２の筒内に充填し、木製コンロ１の運搬時や使用時等に芯部材３が外筒部材２から抜けてしまわないよう、芯部材３の外周と外筒部材２の内周との隙間に楔型端材１３を挿入して固定する。
【００１６】
引続き、木製コンロ１の使用手順につき、図６を併用して以下に説明する。
２個のレンガ１４，１４を２０ｃｍ程度間隔をあけて置き、レンガ１４，１４の間に新聞紙や木屑、枯れた葉等の着火用材料を置いてマッチ等で点火する。木製コンロ１を天地反転し、通気溝７の形成された木口を下にしてレンガ１４、１４の上に置くと、木製コンロ１の上部９に着火して煙が濛濛と出、約１０分後には芯部材３の通気溝７を形成した部分に完全に着火する。その後、煙りがほぼ出なくなった木製コンロ１を上下反転させる。これにより、木製コンロ１の上部９表面より下部１０に向かって、またスリット５ａ，５ａ，５ａ・・・の配置間隔が狭く空気が供給され易い芯部材３の中心部分から外側に向かって徐々に燃えていく。よって、図６に示すように、外筒部材２の上に鍋２０などを置き、湯を沸かしたり食材の調理をしたり等といった作業が長時間に亘って可能である。
【００１７】
木製コンロ１は約９０分後には外筒部材２の内壁が燃え始め、約１２０分後には外筒部材２が全て炭になり、最終的には全体が完全に燃え尽きて灰になる。尚、燃焼中、外筒部材２の筒内に木屑などを入れると、燃焼時間を長くすることができる。
【００１８】
木製コンロ１は上記したように構成されているので、芯部材３は空気を下部１０から上部９に通す貫通孔６と、着火の際及びその後の燃焼を容易にする通気溝７が形成されており非常に燃えやすい。よって、木製コンロ１は丸太４に簡単な加工を施しただけであるが、容易に着火させることができ、効率よく最後まできれいに燃焼させることができる。また、丸太４に簡単な処理を施しただけで製造できるので、一定基準を満たす品質の木製コンロ１を大量生産できる。
【００１９】
さらに、芯部材３に着火した後ゆっくり燃焼させ芯部材３がほぼ燃え尽きるまで外筒部材２の上部９に鍋２０等を載せて湯を沸かしたり、食材の調理をしたりできる。従って、木製コンロ１は災害発生時等ガス、電気等を使用できない状況でも食材の調理や冬季の熱源確保が可能であり、災害発生時用に備蓄しておいたり、キャンプ用に使用することができる。
【００２０】
また、外筒部材２及び芯部材３を少なくとも一本の丸太４から製造する場合は、山等に棄てられていた間伐材や原木から材木として利用される部分を切り取った残りの未利用部分、倒木等を有効利用することができる。また、丸太４の心材１４を抜き取って加工するので、備蓄のため長期間保存した場合に丸太４が乾燥して丸太４の外周面に罅割れが生じるといったことが起こりにくい。すなわち、丸太４の生木を長期間保存した場合、丸太４が乾燥して丸太４の外周面は収縮しようとするが、丸太４の内部は収縮しにくいので、丸太４の外周面に円周方向の引張応力が生じ遂には罅割れる。しかし、丸太４の心材１７がない場合は丸太４の外周面の自由な収縮が妨げられず、罅割れがほとんど生じない。もし、木製コンロ１の外周面に罅割れが生じており、このような木製コンロ１に着火した場合には、芯部材３だけでなく、外筒部材２の罅割れを生じた部分に空気が十分供給されるために着火後まもなくその部分から外筒部材も燃え始める。してみると、外筒部材２が燃焼しにくいために外筒部材２の上に鍋などを載せられるという本発明特有の効果を果たせなくなる可能性があるが、そのような事は生じにくい。
【００２１】
更に、以上のような製法により木製コンロ１が製造されるので、芯部材３がホールソーなどを用いて丸太４から抜き出され、抜き出された芯部材３は電動ノコギリ等を用いて通気溝７や上下の貫通孔６が形成される。従って、取り扱いが非常に難しいチェーンソー等を使用しなくても、手軽なホールソーや電動ノコギリ等で容易かつ迅速に製造することができる。また、微妙なスリット５ａ，５ａ，５ａ，・・・の配置幅の調整ができ、木製コンロの大量生産及び規格化が可能となる。
【００２２】
尚、上記の実施形態では、丸太４に杉材を使用したが、本発明の木製コンロはそれに限定されるものでなく、例えばヒノキ、ケヤキ、マツ、ナラ、カバ、クスノキ、ブナ等を用いることができる。また、外筒部材２を芯部材３と同一の丸太により構成したが、それに限定されるものでなく、例えば丸太４の樹種を外筒部材２と芯部材３とで異ならせてもよく、また、外筒部材２を金属製や陶器製等としてもよい。また、丸太４は断面が円形の物に限定されず三角形や四角形等の角材であってもよく、また、外筒部材２又は芯部材３の断面は円形に限定されず、三角形、四角等であってもよい。更に、直径が小さすぎて外筒部材２と芯部材３に分けられない丸太４であっても、その木材に直接通気溝７と貫通孔６を形成して芯部材３として使用することも可能である。その場合は、この芯部材３を他の木材から得た外筒部材２や木製以外の外筒部材に充填して用いることができる。即ち、従来では直径が小さくて利用価値が乏しがった丸太４等も有効利用できることとなる。更に、通気溝７の所定位置に固形燃料挿入部を形成し、この固形燃料挿入部に固形燃料を挿入して着火するといった簡潔な着火方法をとってもよい。
【００２３】
また、スリット５ａ，５ａ，５ａ・・・の深さは芯部材３の全長の約２／３程度、スリット５ｂ，５ｂ，５ｂ，・・・の深さは芯部材３の全長の２／５以上１／２以下程度としたがこれに限定されず，上部９からのスリット５ａ，５ａ，５ａ，・・・と下部からのスリット５ｂ，５ｂ，５ｂ，・・・が相互に交差できる深さであればよい。よって、上部９スリット５ａ，５ａ，５ａ・・・の深さを下部スリット５ｂ，５ｂ，５ｂ，・・・の深さより短くしてもよく、例えば上部９スリット５ａ，５ａ，５ａ，・・・の深さを芯部材３の全長の約１／３程度とし、スリット５ｂ，５ｂ，５ｂ，・・・の深さを芯部材３の全長の約５／７程度としてもよい。また、下部スリット５ｂ，５ｂ，５ｂ・・・は４本に限定されず木製コンロ１の下部１０から上部９に空気を通す貫通孔１１を構成できる数であればよい。お詫び
【００２４】
また、上記実施形態では、通気溝７（通気用凹部）は電動ノコギリを用いて格子状に形成されたスリット５ａ，５ａ，５ａ，・・・としたが、本発明の通気用凹部はこれに限定されるものではなく、芯部材３の上面から下向きにドリルで穿孔したものでもよい。この場合には、芯部材３に着火する際、芯部材３の中央部が外側より速く着火するようにするため、芯部材３の中央部は穿孔の数を多くし、外側は中央部より穿孔の数を少なくする。また、同様に、スリット５ｂ，５ｂ，５ｂ，５ｂについてもドリルを用いて底面から穿孔を設け、上部９からの電動ノコギリによるスリット５ａ，５ａ，５ａ，・・・と貫通させてもよく、上面から下向きに穿孔した通気用凹部と貫通させてもよい。更に、芯部材３の上面からのドリルの穿孔を底面まで貫通させ、貫通孔６としてもよい。
【００２５】
一方、図７に示すように、複数の空気調整用小孔１６を設けた金属板１５を木製コンロ１の底面とレンガ１４の間に挟んで設置してもよい。通常、木製コンロ１の着火の際には空気の供給量が多いほうが好ましいため貫通孔１１が複数形成されているのであるが、着火後は貫通孔１１から必要以上に空気が供給された場合に芯部材３等の燃焼が短時間のうちに進行して直ぐに燃え尽きてしまうといった事態が生じる恐れがある。そこで、上記複数の空気調整用小孔１６を設けた金属板１５を木製コンロ１の底面とレンガ１４の間に挟んで設置し、木製コンロ１の燃焼状態に合わせて、空気調整用小孔１６と貫通孔６が一致する位置に木製コンロ１を設置すれば空気を十分に供給でき火力が強まり、空気調整用小孔１６と貫通孔６が一致しないように木製コンロ１を設置すれば空気があまり供給されないので火力が弱まるといった火力の調整が可能となる。
【図面の簡単な説明】
【００２６】
【図１】本発明の一実施形態に係る木製コンロの斜視図である。
【図２】本発明の一実施形態に係る木製コンロの構成図である。
【図３】本発明の一実施形態に係る芯部材の平面図である。
【図４】本発明の一実施形態に係る芯部材の底面図である。
【図５】本発明の一実施形態に係る木製コンロの部分断面図である。
【図６】本発明の一実施形態に係る木製コンロの使用態様図である。
【図７】本発明の一実施形態にかかる木製コンロを斜め下から見上げた斜視図である。
【符号の説明】
【００２７】
１  木製コンロ
２  外筒部材
３  芯部材
４  丸太
６  貫通孔
７  通気溝（通気用凹部）
９  上部
１１  貫通孔
１７  心材
１８  周縁部分
Ｃ  筒芯
【図１】
0004730949.tif 000002
【図２】
0004730949.tif 000003
【図３】
0004730949.tif 000004
【図４】
0004730949.tif 000005
【図５】
0004730949.tif 000006
【図６】
0004730949.tif 000007
【図７】
0004730949.tif 000008